(57)【要約】【課題】歯車の回転に伴って抜け止め部材の外れ、焼きつき等による不具合の発生を防止することが可能な歯車装置を提供する。【解決手段】遊星歯車機構３０は、遊星歯車３１と、略円筒状のピン３２と、ピン３２の上端部に取り付けられるフランジ部３３と、略円環状のプレート部材３４と、を備えている。フランジ部３３は、ピン３２の上端部から径方向外側に向かって突出するように形成されており、プレート部材３４における径方向内側において一部が当接する。プレート部材３４は、ピン３２が挿通され、遊星歯車３１の側面上に載置された状態でフランジ部３３によって固定される。【選択図】図６
2010265965.tif 000002
【特許請求の範囲】
【請求項１】
中心部分に開口を有する歯車と、
前記歯車の前記開口に沿って挿入され、前記歯車の回転中心となる略円筒状のピンと、
前記歯車の端面上に載置された状態で前記ピンの外周面に沿って装着される略円環状のプレート部材と、
前記プレート部材における前記ピンの外周面寄りの対向面の一部分に対して当接するとともに、前記歯車の端面との間に前記プレート部材を挟み込むように、前記ピンの上端部付近に設けられている抜け止め部と、
を備えている歯車装置。
【請求項２】
前記プレート部材と前記抜け止め部とが互いに当接する対向面の一方が他方に対して傾斜する傾斜面を有している、
請求項１に記載の歯車装置。
【請求項３】
前記傾斜面は、前記抜け止め部側の対向面に形成されている、
請求項２に記載の歯車装置。
【請求項４】
前記傾斜面は、前記プレート部材側の対向面に形成されている、
請求項２に記載の歯車装置。
【請求項５】
前記プレート部材と前記抜け止め部とが互いに当接する対向面の少なくとも一方が凸部を有している、
請求項１に記載の歯車装置。
【請求項６】
前記プレート部材と前記抜け止め部とが互いに当接する対向面の少なくとも一方にはオイルが溜まる凹部が形成されている、
請求項１から５のいずれか１項に記載の歯車装置。
【請求項７】
前記凹部は、研削時に形成される綾目、施削溝、ショットピーニング痕の少なくともいずれか１つである、
請求項６に記載の歯車装置。
【請求項８】
前記抜け止め部は、前記ピンの上部において径方向外側に突出するように一体成形されたフランジ部である、
請求項１から７のいずれか１項に記載の歯車装置。
【請求項９】
前記抜け止め部は、前記ピンの上部に弾性変形を利用して装着されるリング部材である、
請求項１から７のいずれか１項に記載の歯車装置。
【請求項１０】
前記ピンは、前記フランジ部における前記プレート部材との対向面の部分を含む領域に、熱処理硬化層を有している、
請求項８に記載の歯車装置。
【請求項１１】
前記プレート部材は、前記フランジ部と当接する対向面に、前記フランジ部とは異質の硬化層を有している、
請求項１０に記載の歯車装置。
【請求項１２】
中心部分に開口を有する歯車と、
前記歯車の前記開口に沿って挿入され、前記歯車の回転中心となるとともに、上端部に径方向外側に向かって突出するフランジ部を有する略円筒状のピンと、
前記歯車の端面上に載置された状態で前記ピンの外周面に沿って装着され、前記フランジ部によって固定される略円環状のプレート部材と、
前記フランジ部における前記プレート部材との対向面に形成された凹部と、
を備えている歯車装置。
【発明の詳細な説明】
【技術分野】
【０００１】
本発明は、略円筒状のピンの外周面に沿って歯車が装着され、ピンを中心に歯車を回転させる歯車装置に関する。
【背景技術】
【０００２】
減速機等に搭載された遊星歯車機構では、複数の遊星歯車を太陽歯車に噛み合わせ、それぞれの遊星歯車をキャリアを用いて回転可能な状態で支承することで、遊星歯車が自転しながら、太陽歯車を中心として公転する機構が形成される。
例えば、特許文献１には、潤滑油中に浸漬された遊星歯車機構を備えた減速機の構成が開示されている。この遊星歯車機構では、それぞれの遊星歯車が軸受部を介して遊星軸（ピン）の外周面に沿って装填され、遊星軸の上端部分にワッシャー（プレート部材）とこれを固定するＣ型止め輪（抜け止め部）とを装着して、遊星歯車を遊星軸に固定している。
【発明の概要】
【発明が解決しようとする課題】
【０００３】
しかしながら、上記従来の遊星歯車機構では、以下に示すような問題点を有している。
すなわち、上記公報に開示された遊星歯車機構では、遊星歯車をワッシャーとＣ型止め輪とを用いて遊星軸に固定しているが、歯車の回転に伴ってワッシャーが連れ回りした場合には、ワッシャーとＣ型止め輪との当接面が全体で互いに接触しながら相対的に回転する。よって、歯車の回転時には、ワッシャーとの相対回転によって、Ｃ型止め輪が開いて外れたり、熱変形したりして、外れた部品が不具合を発生させるおそれがある。
【０００４】
本発明の課題は、歯車の回転に伴って抜け止め部材の外れ、焼きつき等による不具合の発生を防止することが可能な歯車装置を提供することにある。
【課題を解決するための手段】
【０００５】
第１の発明に係る歯車装置は、中心部分に開口を有する歯車と、略円筒状のピンと、略円環状のプレート部材と、抜け止め部と、を備えている。略円筒状のピンは、歯車の開口に沿って挿入され、歯車の回転中心となる。略円環状のプレート部材は、歯車の端面上に載置された状態でピンの外周面に沿って装着される。抜け止め部は、プレート部材におけるピンの外周面寄りの対向面の一部分に対して当接するとともに、歯車の端面との間にプレート部材を挟み込むように、ピンの上端部付近に設けられている。
【０００６】
ここでは、歯車の回転軸となるピンの上端部分に歯車を固定するために装着されるプレート部材と抜け止め部との当接部分について、互いの対向面が全体の一部においてのみ接触するように構成されている。
ここで、このような構成の歯車装置では、歯車が回転する際にプレート部材が歯車に連れ回りして、抜け止め部−プレート部材間において摺動して抜け止め部が外れたり、摺動熱によって変形したり、焼きついたりする等の不具合が生じるおそれがある。なお、上記対向面とは、歯車の端面上にセットされたプレート部材と、ピンの上端部に装着された抜け止め部とが互いに対向する面を意味している。
【０００７】
そこで、本発明の歯車装置では、プレート部材と抜け止め部との間における当接部分の面積を低減するために、対向面における径方向内側の一部において当接するような構成を採用している。
これにより、互いの対向面全体が接触した状態で回転する従来の構成と比較して、歯車の回転時に抜け止め部に対して付与される回転モーメントが低減され、抜け止め部の外れや熱変形、焼きつき等の不具合の発生を防止することができる。この結果、抜け止め部によって保持されたプレート部材の脱落による歯車装置のロック等の問題を解消しつつ、潤滑性を向上させることができる。
【０００８】
第２の発明に係る歯車装置は、第１の発明に係る歯車装置であって、プレート部材と抜け止め部とが互いに当接する対向面の一方が他方に対して傾斜する傾斜面を有している。
ここでは、歯車を固定するプレート部材と抜け止め部材との当接部分の形状に関して、一方の面が他方の面に対して傾斜するテーパ状の傾斜面を有している。
これにより、互いの対向面は面全体で当接するのではなく、一部だけで接触する状態とすることができる。よって、プレート部材が歯車と連れ回りする際に、プレート部材と抜け止め部との相対的な回転による抜け止め部にかかる回転力を小さくして、抜け止め部の外れや変形等を防止することができる。
【０００９】
第３の発明に係る歯車装置は、第２の発明に係る歯車装置であって、傾斜面は、抜け止め部側の対向面に形成されている。
ここでは、プレート部材と抜け止め部との対向面の一方に配置される傾斜面が、抜け止め部側の対向面に設けられている。
これにより、抜け止め部とプレート部材とが当接する面積を対向面全体から減らすことで、抜け止め部にかかる負荷を低減して、外れや変形等の不具合の発生を防止することができる。
【００１０】
第４の発明に係る歯車装置は、第２の発明に係る歯車装置であって、傾斜面は、プレート部材側の対向面に形成されている。
ここでは、プレート部材と抜け止め部との対向面の一方に配置される傾斜面が、プレート部材側の対向面に設けられている。
これにより、抜け止め部とプレート部材とが当接する面積を対向面全体から減らすことで、抜け止め部にかかる負荷を低減して、外れや変形等の不具合の発生を防止することができる。
【００１１】
第５の発明に係る歯車装置は、第１の発明に係る歯車装置であって、プレート部材と抜け止め部とが互いに当接する対向面の少なくとも一方が凸部を有している。
ここでは、プレート部材と抜け止め部との対向面が、凸部を介して当接している。
これにより、抜け止め部とプレート部材とが当接する面積を対向面全体から減らすことで、抜け止め部にかかる負荷を低減して、外れや変形等の不具合の発生を防止することができる。
【００１２】
第６の発明に係る歯車装置は、第１から第５の発明のいずれか１つに係る歯車装置であって、プレート部材と抜け止め部とが互いに当接する対向面の少なくとも一方にはオイルが溜まる凹部が形成されている。
ここでは、プレート部材と抜け止め部との対向面における互いに当接する部分に、例えば、凹みや溝状の凹部が形成されている。
【００１３】
ここで、上記凹部は、プレート部材および抜け止め部のいずれか一方、あるいは双方に形成されていてもよい。
これにより、プレート部材と抜け止め部とが互いに当接する面における潤滑性を向上させることができる。
【００１４】
第７の発明に係る歯車装置は、第６の発明に係る歯車装置であって、凹部は、研削時に形成される綾目、旋削溝、ショットピーニング痕の少なくともいずれか１つである。
ここでは、抜け止め部におけるプレート部材に対する対向面に形成される凹部として、研削時に形成される綾目、旋削時に形成される旋削溝、ショットピーニングの加工痕等、あるいはこれらの組合せが用いられる。
これにより、プレート部材と抜け止め部との当接面にオイルが保持される隙間を設けることができ、潤滑性を向上させることができる。
【００１５】
第８の発明に係る歯車装置は、第１から第７の発明のいずれか１つに係る歯車装置であって、抜け止め部は、ピンの上部において径方向外側に突出するように一体成形されたフランジ部である。
ここでは、抜け止め部として、ピンの上部において径方向外側に突出するピン一体型のフランジ部を用いている。
【００１６】
これにより、歯車の回転に伴ってプレート部材が連れ回りした場合でも、抜け止め部が外れたり熱変形したりする不具合の発生を、さらに効果的に防止することができる。
【００１７】
第９の発明に係る歯車装置は、第１から第７の発明のいずれか１つに係る歯車装置であって、抜け止め部は、ピンの上部に弾性変形を利用して装着されるリング部材である。
ここでは、抜け止め部として、Ｃ型止め輪等のような弾性変形を利用してピンに対して装着されるリング部材を用いている。
これにより、抜け止め部として、このような一般的なリング部材を用いた場合でも、抜け止め部とプレート部材との間の相対回転時における当接部分の面積を減らすことで、リング部材の外れ、熱変形等の不具合の発生を防止することができる。
【００１８】
第１０の発明に係る歯車装置は、第８の発明に係る歯車装置であって、ピンは、フランジ部におけるプレート部材との対向面の部分を含む領域に、熱処理硬化層を有している。
ここでは、ピンのフランジ部におけるプレート部材との対向面を含む領域に、熱処理硬化層を設けている。
ここで、上記熱処理硬化層には、高周波加熱、浸炭、浸炭浸窒等によって処理された硬化層が含まれる。
これにより、プレート部材との当接部分における表面強度を向上させることができる。
【００１９】
第１１の発明に係る歯車装置は、第１０の発明に係る歯車装置であって、プレート部材は、フランジ部と当接する対向面に、フランジ部とは異質の硬化層を有している。
ここでは、プレート部材における、例えば、高周波加熱や浸炭処理によって表面硬化層が形成されたフランジ部との対向面に、フランジ部側とは異質の表面処理が施された硬化層を設けている。
【００２０】
ここで、上記プレート部材側の硬化層としては、塩浴窒化、ガス軟窒化処理等が施された硬化層が考えられる。これにより、互いに当接する部分において、当接面同士が密着して、歯車の回転時に密着部分が凝着する等の不具合の発生を防止することができる。
【００２１】
第１２の発明に係る歯車装置は、中心部分に開口を有する歯車と、略円筒状のピンと、略円環状のプレート部材と、凹部と、を備えている。略円筒状のピンは、歯車の開口に沿って挿入され、歯車の回転中心となるとともに、上端部に径方向外側に向かって突出するフランジ部を有する。略円環状のプレート部材は、歯車の端面上に載置された状態でピンの外周面に沿って装着され、フランジ部によって固定される。凹部は、フランジ部におけるプレート部材との対向面に形成されている。
【００２２】
ここでは、歯車の回転軸となるピンの上端部分に歯車を固定するために装着されるプレート部材と抜け止め部との当接部分において、例えば、凹みや溝状の凹部が形成されている。
ここで、上記凹部は、プレート部材および抜け止め部のいずれか一方、あるいは双方に形成されていてもよい。また、この凹部としては、例えば、研削時に形成される綾目、旋削溝、ショットピーニング痕のいずれか１つを用いることができる。
これにより、プレート部材と抜け止め部とが互いに当接する面に、オイルを保持する隙間を設けることができる。この結果、凹部に保持されたオイルの存在によって、互いの当接面における潤滑性を向上させることができる。
【発明の効果】
【００２３】
本発明に係る歯車装置によれば、抜け止め部の外れや熱変形、焼きつき等の発生を防止することができる。
【図面の簡単な説明】
【００２４】
【図１】本発明の一実施形態に係る遊星歯車機構を含む旋回モータを搭載した油圧ショベルの構成を示す斜視図。
【図２】図１の油圧ショベルに搭載された旋回モータ周辺の構成を示す正面図。
【図３】図２の旋回モータ内の遊星歯車機構の構成を示す部分断面図。
【図４】（ａ），（ｂ）は、図３の遊星歯車機構に含まれるピンの構成を示す側面図と図中矢印方向から見た平面図。
【図５】図３の遊星歯車機構に含まれるピン上端部分における抜け止めのための構成を示す拡大断面図。
【図６】（ａ），（ｂ）は、図３の遊星歯車機構に含まれるプレート部材の構成を示す側断面図、平面図。
【図７】図３の遊星歯車機構におけるピンの上端部のフランジ部とプレート部材との位置関係を示す拡大断面図。
【図８】本発明の他の実施形態に係る歯車装置の構成を示す断面図。
【図９】本発明の他の実施形態に係る歯車装置の構成を示す断面図。
【図１０】本発明のさらに他の実施形態に係る歯車装置を示す断面図。
【発明を実施するための形態】
【００２５】
本発明の一実施形態に係る歯車装置について、図１〜図７を用いて説明すれば以下の通りである。
［油圧ショベル１全体の構成］
本実施形態に係る油圧ショベル１は、図１に示すように、下部走行体２と、旋回台３と、作業機４と、カウンタウェイト５と、車体部６と、機器室９と、キャブ１０と、を備えている。
【００２６】
下部走行体２は、進行方向における左右両端部分に巻き掛けられた履帯Ｐを回転させることで、油圧ショベル１を前進、後進させるとともに、上面側に旋回台３を旋回可能な状態で搭載している。
旋回台３は、後述する旋回モータ２０によって下部走行体２上において任意の方向に旋回可能であって、上面に作業機４と、カウンタウェイト５と、車体部６と、キャブ１０とを搭載している。
【００２７】
作業機４は、ブーム１１と、ブーム１１の先端に取り付けられたアーム１２と、アーム１２の先端に取り付けられたバケット１３とを含むように構成されている。そして、作業機４は、図示しない油圧回路に含まれる各油圧シリンダ１１ａ，１２ａ，１３ａ等によって、ブーム１１やアーム１２、バケット１３等を上下に移動させながら、土木工事の現場において土砂や砂礫等の掘削作業を行う。
【００２８】
カウンタウェイト５は、例えば、鋼板を組み立てて形成した箱の中に屑鉄やコンクリート等を入れて固めたものであって、採掘時等において車体のバランスをとるために旋回台３上における車体部６の後方に設けられている。
車体部６は、図１に示すように、カウンタウェイト５に隣接する位置に配置されており、開閉可能なエンジンフード１４によって覆われた点検用の上部開口を有している。そして、車体部６の内部には、下部走行体２や作業機４を駆動するための動力源である図示しないエンジンやクーリングコア、後述する旋回モータ２０等が収容されている。
【００２９】
機器室９は、作業機４の後方に配置されており、図示しない燃料タンク、作動油タンクおよび操作弁等を収容する。
キャブ１０は、油圧ショベル１のオペレータが乗降する室内空間を有しており、作業機４の先端部を見通せるように、旋回台３上における作業機４の側方となる左側前部に配置されている。
【００３０】
（旋回モータ２０）
旋回モータ２０は、車体部６の内部であって下部走行体２上に搭載されており、上述した旋回台３を所望の方向へ旋回させる。また、旋回モータ２０は、図２に示すように、給油管２４が接続されており、減速機２１、旋回軸２２を介してピニオンギア（図示せず）を回転させることで、下部走行体２上において旋回台３を旋回させる。
また、旋回モータ２０は、図２に示すように、減速機２１内に遊星歯車機構３０を搭載している。なお、この遊星歯車機構３０については、後段にて詳述する。
【００３１】
（遊星歯車機構３０）
遊星歯車機構（歯車装置）３０は、図３に示すように、遊星歯車（歯車）３１と、ピン３２と、フランジ部（抜け止め部）３３と、プレート部材３４と、キャリア３５と、太陽歯車３６と、軸受部３７と、を有している。
【００３２】
遊星歯車３１は、図３に示すように、中央に形成された開口にピン３２が挿通されており、ピン３２を回転中心として回転する。また、遊星歯車３１は、太陽歯車３６を中心として複数設けられている。複数の遊星歯車３１は、キャリア３５を介して回転可能な状態で互いに接続されており、太陽歯車３６の周りを公転するとともに、ピン３２を中心として自転する。
【００３３】
ピン３２は、図４（ａ）に示すように、略円筒状の部材であって、内部にオイルが連通する貫通孔３２ａを有している。ピン３２は、後述するフランジ部３３における当接面３３ａを含む領域に表面処理加工が施されており、キャリア３５の開口穴に対して圧入されている。ピン３２に施される表面処理加工によって、高周波加熱による熱処理硬化層、あるいは浸炭浸窒処理による硬化層が形成される。なお、高周波加熱を行う際には、ピン３２の外周面に沿ってコイルを配置して、コイルに電流を流すことで高周波加熱処理を行えばよい。また、ピン３２の外周面には、軸受部３７およびベアリング保持器３８を介して、遊星歯車３１が装填されている。
【００３４】
フランジ部３３は、図４（ａ）に示すように、ピン３２の上端部にピン３２と一体的に設けられた鍔状の部材であって、径方向外側に向かって突出して径大部を構成する。また、フランジ部３３は、ピン３２が遊星歯車３１に挿通された状態でプレート部材３４に対して当接する当接面３３ａを有している。当接面３３ａは、ピン３２の外周面からフランジ部３３が突出した部分に形成されるピン３２の挿入方向にほぼ垂直な面である。本実施形態では、この当接面３３ａに、図４（ｂ）に示すように、オイルが溜まりやすくするための凹部３３ａａが設けられている。凹部３３ａａは、例えば、ピン３２の外周研磨の際に形成される綾目痕や、同心円状あるいは螺旋状の旋削溝、ショットピーニングによる加工痕等が用いられる。この凹部３３ａａにオイルが保持されることによって、フランジ部３３側の当接面３３ａと、プレート部材３４側のテーパ部３４ａの面との間の潤滑性を向上させることができる。
【００３５】
プレート部材３４は、図５、図６（ａ）および図６（ｂ）に示すように、断面が略Ｌ字型の円環状の部材であって、遊星歯車３１の側面上に載置された状態で、ピン３２に一体成形されたフランジ部３３の当接面３３ａによって保持される。そして、プレート部材３４は、フランジ部３３の当接面３３ａに対して当接する円環状のテーパ部（傾斜面）３４ａを有している。テーパ部３４ａの傾斜面は、径方向における内側から外側に向かって下方傾斜するように形成されている。このため、フランジ部３３側の当接面３３ａとプレート部材３４側のテーパ部３４ａの面とは、互いに傾いた状態で当接する。よって、両部材の当接部分は、図７に示すように、傾斜角度θがある状態で互いに当接する。この結果、フランジ部３３の当接面３３ａは、プレート部材３４のテーパ部３４ａに対して径方向における最も内側においてのみ円環状に当接する。つまり、フランジ部３３とプレート部材３４とは、互いに対向する面の一部においてのみ当接する。この結果、遊星歯車３１の回転に伴ってプレート部材３４が連れ回りした場合でも、ピン３２と一体成形されたフランジ部３３との当接部分に対して付与される回転摩擦力や回転モーメントを最小限とすることができる。よって、抜け止め部としてのフランジ部３３が熱変形する、回転によって外れてしまうことによる、遊星歯車３１の回転ロック等の問題の発生を防止することができる。
【００３６】
また、プレート部材３４におけるテーパ部３４ａの面には、上述したピン３２と一体成形されたフランジ部３３の当接面３３ａを含む領域に施された表面処理とは異質の表面処理が施されている。具体的には、フランジ部３３の当接面３３ａ側に高周波加熱による熱処理硬化層、あるいは浸炭浸窒処理による硬化層等が形成されている場合には、テーパ部３４ａ側には塩浴窒化処理層、あるいはガス軟窒化処理層が形成されていればよい。これにより、互いに当接する面の間において、凝着の発生を回避して、潤滑性を向上させることができる。
【００３７】
キャリア３５は、略円盤状の部材であって、複数の遊星歯車３１のそれぞれを回転可能な状態で軸支している。
太陽歯車３６は、複数の遊星歯車３１の中心部に設けられており、それぞれの遊星歯車３１に対して噛み合っている。
【００３８】
＜遊星歯車機構３０の組立て工程＞
本実施形態では、上述した遊星歯車機構３０の組立てを、以下のような手順で行う。
まず、旋削加工されたピン３２に対して、上述した高周波過熱または浸炭浸窒処理を行った後、外周研磨処理を行う。
次に、キャリア３５上に、複数の遊星歯車３１、プレート部材３４をセットする。
次に、キャリア３５上にセットされた複数の遊星歯車３１、プレート部材３４および軸受部３７の中央開口部に、フランジ部３３が一体成形されたピン３２を挿通させながら、キャリア３５に形成された開口に対してピン３２を圧入固定する。
【００３９】
＜特徴＞
本実施形態の遊星歯車機構３０は、図５に示すように、遊星歯車３１と、略円筒状のピン３２と、ピン３２の上端部に一体的に成形されたフランジ部３３と、略円環状のプレート部材３４と、を備えている。フランジ部３３は、ピン３２の上端部から径方向外側に向かって突出するように形成されており、プレート部材３４における径方向内側において一部が当接する。プレート部材３４は、ピン３２が挿通され、遊星歯車３１の側面上に載置された状態でフランジ部３３によって固定される。
【００４０】
これにより、遊星歯車３１の回転軸となるピン３２の上端部分に遊星歯車３１を固定するために装着されるフランジ部３３とプレート部材３４との当接部分について、互いの対向面が、径方向内側における全体の一部においてのみ接触させることができる。よって、対向面同士の全体が当接していた従来の構成と比較して、遊星歯車３１の回転に伴う回転力や回転モーメントを低減して、焼きつきや熱変形等の不具合の発生を回避して、遊星歯車機構３０のロック等の発生を防止することができる。
【００４１】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、本発明に係る抜け止め部として、ピン３２の上端部にピン３２と一体的に設けられたフランジ部３３を用いた例を挙げて説明した。しかし、本発明はこれに限定されるものではない。
【００４２】
例えば、図８および図９に示すように、フランジ部のない略円筒状のピン１３２の上端部に、弾性変形を利用して装着される止め輪１３３やＣ型止め輪等を抜け止め部として用いてもよい。
この場合には、組立て工程としては、まず、キャリア３５に対してピン１３２を圧入して固定する。
【００４３】
次に、キャリア３５に圧入固定されたピン１３２に対して、遊星歯車３１、プレート部材３４をこの順で装填する。
次に、プレート部材３４を固定するために、ピン１３２の上端部付近に止め輪１３３を装着する。
これにより、遊星歯車３１の回転に伴ってプレート部材３４が連れ回りした場合でも、プレート部材３４側のテーパ部３４ａが傾斜角度θで止め輪１３３の当接面に対して傾いているため、止め輪１３３に対して付与されるプレート部材３４の回転力、回転モーメントを、従来よりも小さくすることができる。よって、止め輪１３３の外れ、熱変形等の不具合の発生を防止できるという、上記実施形態と同様の効果を得ることができる。
【００４４】
（Ｂ）
上記実施形態では、プレート部材３４とフランジ部３３（抜け止め部）との間における当接部分の面積を従来よりも減らすために、当接面の一方（プレート部材３４側のテーパ部３４ａ）を他方に対して傾斜させてテーパ状の傾斜面を設けた例を挙げて説明した。しかし、本発明はこれに限定されるものではない。
【００４５】
例えば、傾斜面を用いることなく、図１０に示すように、プレート部材２３４側における内周側に、フランジ部３３の当接面３３ａに対して突出する凸部２３４ａを形成して、プレート部材２３４とフランジ部３３（抜け止め部）との対向面同士の当接面積を抑える構成であってもよい。
なお、この凸部は、プレート部材、抜け止め部のいずれか一方、あるいは双方に設けられていればよい。また、凸部は、当接面が平面であってもよいし、曲面であってもよい。
【００４６】
（Ｃ）
上記実施形態では、プレート部材３４とフランジ部３３（抜け止め部）との間における当接部分の面積を従来よりも減らすために、プレート部材３４側の当接面をフランジ部３３側の当接面に対して傾斜させたテーパ状の傾斜面（テーパ部３４ａ）を設けた例を挙げて説明した。しかし、本発明はこれに限定されるものではない。
例えば、反対に、フランジ部側の当接面を傾斜させて、プレート部材側の当接面との当接面積を従来よりも小さくしてもよい。
【００４７】
（Ｄ）
上記実施形態では、ピン３２に一体成形されたフランジ部３３側の当接面３３ａの表面に、凹部３３ａａを形成してオイル溜まり部分を設けた例を挙げて説明した。
しかし、本発明はこれに限定されるものではない。
例えば、フランジ部側の当接面に対向するプレート部材側の面に対して、オイル溜まり用の凹部を設けてもよい。あるいは、フランジ部側、プレート部材側の双方の当接面に対してオイル溜まり用の凹部を設けてもよい。
【００４８】
（Ｅ）
上記実施形態では、ピン３２の表面における所定の領域に、高周波処理または浸炭浸窒処理を施して表面強度を高めた例を挙げて説明した。しかし、本発明はこれに限定されるものではない。
例えば、ピンの表面に施される表面処理としては、浸炭処理等の他の処理が採用されてもよい。
【００４９】
（Ｆ）
上記実施形態では、プレート部材３４側の表面に、ピン３２のフランジ部３３側に施された表面処理（高周波処理または浸炭浸窒処理）とは異なる処理である塩浴窒化処理、あるいはガス軟窒化処理を施して表面強度を高めた例を挙げて説明した。しかし、本発明はこれに限定されるものではない。
【００５０】
例えば、プレート部材３４側の表面に施される表面処理としては、上記以外の他の処理が採用されてもよい。
ただし、上記実施形態でも説明したように、互いに当接するピン３２（フランジ部３３）側とプレート部材３４との間の潤滑性を向上させる面では、互いの当接面には異質の表面処理が施されていることが望ましい。
【００５１】
（Ｇ）
上記実施形態では、減速機２１に搭載された遊星歯車機構３０に含まれる歯車装置に対して、本発明を適用した例を挙げて説明した。しかし、本発明はこれに限定されるものではない。
例えば、本発明の歯車装置は、遊星歯車機構以外の歯車装置に適用されてもよい。
【００５２】
また、減速機に搭載された歯車機構以外にも、増速機等に搭載された歯車装置に対して、本発明が適用されてもよい。
【産業上の利用可能性】
【００５３】
本発明の歯車装置は、歯車の回転に伴って抜け止め部材が外れる、熱変形する等に起因する不具合の発生を防止することができるという効果を奏することから、各種減速機、増速機等に搭載される歯車装置に対して広く適用可能である。
【符号の説明】
【００５４】
１      油圧ショベル
２      下部走行体
３      旋回台
４      作業機
５      カウンタウェイト
６      車体部
９      機器室
１０      キャブ
１１      ブーム
１１ａ    油圧シリンダ
１２      アーム
１２ａ    油圧シリンダ
１３      バケット
１３ａ    油圧シリンダ
１４      エンジンフード
２０      旋回モータ
２１      減速機
２２      旋回軸
２４      給油管
３０      遊星歯車機構（歯車装置）
３１      遊星歯車（歯車）
３２      ピン
３２ａ    貫通孔
３３      フランジ部（抜け止め部）
３３ａ    当接面
３３ａａ  凹部
３４      プレート部材
３４ａ    テーパ部（傾斜面）
３５      キャリア
３６      太陽歯車
３７      軸受部
３８      ベアリング保持器
１３２    ピン
１３３    止め輪（抜け止め部）
２３４    プレート部材
２３４ａ  凸部
【先行技術文献】
【特許文献】
【００５５】
【特許文献１】特開２００９−７９６２７号公報（平成２１年４月１６日公開）
【図１】
2010265965.tif 000003
【図２】
2010265965.tif 000004
【図３】
2010265965.tif 000005
【図４】
2010265965.tif 000006
【図５】
2010265965.tif 000007
【図６】
2010265965.tif 000008
【図７】
2010265965.tif 000009
【図８】
2010265965.tif 000010
【図９】
2010265965.tif 000011
【図１０】
2010265965.tif 000012